(57)【要約】【課題】受信状態劣化時に、迅速に、現在位置にあわせたチャンネル設定が可能な放送受信装置を提供する。【解決手段】制御部１４は、携帯端末装置の位置情報に基づいて現在位置における放送エリアを特定し、特定した放送エリアを記憶部Ａ１５に格納する。ＤＴＶ制御部２３は、放送の受信レベルを測定し、受信レベルと所定のしきい値とを比較する。ＤＴＶ制御部２３は、受信レベルがしきい値よりも小さいときは、記憶部Ａ１５に記憶された放送エリアに対応する周波数設定情報を、放送エリアと周波数設定とを対応付けて記憶するＤＴＶ記憶部Ｂから取得し、放送受信の際の周波数設定を記憶するＤＴＶ記憶部Ｃに格納する。【選択図】図１
2009213030.tif 000002
【特許請求の範囲】
【請求項１】
位置情報を取得し、該取得した位置情報に基づいて現在位置における放送エリアを特定し、該特定した放送エリアを第１の記憶部に記憶する制御部と、
放送の受信レベルを測定し、受信レベルが所定のしきい値よりも小さいと判定すると、前記第１の記憶部に記憶された放送エリアに対応する周波数設定情報を、放送エリアと周波数設定とを対応付けて記憶する第２の記憶部から取得し、放送受信の際の周波数設定を記憶する第３の記憶部に格納する放送受信制御部とを有する放送受信装置。
【請求項２】
前記制御部は、放送エリアと該放送エリアの位置範囲とを対応付けた情報を参照して、前記取得した位置情報に基づいて現在位置における放送エリアを特定する、請求項１に記載の放送受信装置。
【請求項３】
前記第１の記憶部に記憶された放送エリアと、前記第３の記憶部に格納された周波数設定に対応するエリアとが一致するか否かを判定する判定回路を更に備え、前記放送受信制御部は、前記判定回路が一致しないと判定したとき、前記第１の記憶部に記憶された放送エリアに対応する周波数設定情報を、前記第２の記憶部から取得し、前記第３の記憶部に格納する、請求項１又は２に記載の放送受信装置。
【請求項４】
請求項１乃至３の何れか一に記載の放送受信装置を備える携帯端末装置。
【請求項５】
周波数設定情報に従って放送受信を行う放送受信装置を制御する方法であって、
前記放送受信装置が、位置情報を取得し、該取得した位置情報に基づいて現在位置における放送エリアを特定し、該特定した放送エリアを第１の記憶部に記憶するステップと、
前記放送受信装置が、放送の受信レベルを測定し、受信レベルが所定のしきい値よりも小さいと判定すると、前記第１の記憶部に記憶された放送エリアに対応する周波数設定情報を、放送エリアと周波数設定とを対応付けて記憶する第２の記憶部から取得し、放送受信の際の周波数設定を記憶する第３の記憶部に格納するステップとを有する放送受信装置の制御方法。
【請求項６】
周波数設定情報に従って放送受信を行う放送受信装置に、周波数設定を行う処理を実行させるプログラムであって、前記放送受信装置に、
位置情報を取得し、該取得した位置情報に基づいて現在位置における放送エリアを特定し、該特定した放送エリアを第１の記憶部に記憶する処理と、
放送の受信レベルを測定し、受信レベルが所定のしきい値よりも小さいと判定すると、前記第１の記憶部に記憶された放送エリアに対応する周波数設定情報を、放送エリアと周波数設定とを対応付けて記憶する第２の記憶部から取得し、放送受信の際の周波数設定を記憶する第３の記憶部に格納する処理とを実行させるプログラム。
【発明の詳細な説明】
【技術分野】
【０００１】
本発明は、放送受信装置、受信方法、及び、プログラムに関し、更に詳しくは、移動可能な端末や車などに搭載される放送受信装置、並びに、そのような放送受信装置における放送受信方法及びプログラムに関する。
【背景技術】
【０００２】
車載テレビや、携帯端末装置に搭載されたテレビなどの放送受信装置がある。これら放送受信装置にて、移動に伴って放送のサービスエリアが変化した際には、移動後のエリアに合わせたチャンネル設定を行う必要がある。このチャンネル設定を自動で行う技術としては、特許文献１に記載の技術がある。特許文献１では、放送の受信応対が劣化したか否かを判断し、劣化した場合には、ＧＰＳ機能を用いて、現在位置（緯度経度）を割り出す。その後、緯度経度より、放送局情報をインターネット上のサーバから取得する。更に、新放送局系列と旧放送局系列とを比較し、受信チャンネルを一致するチャンネルに切り替える。
【０００３】
【特許文献１】特開２００４−２３５７９号公報（図３、段落００１９）
【発明の開示】
【発明が解決しようとする課題】
【０００４】
特許文献１では、受信状態の劣化の検出後、緯度経度を割り出し、サーバから放送局情報を取得している。この場合、受信状態の劣化が検出されてから、放送局情報を受信するまでにタイムラグがあり、ユーザは、その間は、放送を見ることができないという問題がある。特に、デジタル放送では、アナログ放送とは異なり、受信状態が劣化すると、放送を全く見ることができなくなるので、受信状態の劣化を検出してから放送局情報を受信するのでは遅いということが問題となる。また、特許文献１では、放送局情報をインターネット上のサーバから取得するため、チャンネル設定に際して、ネットワーク通信が必要になるという問題もある。
【０００５】
本発明は、受信状態劣化時に、迅速に、現在位置にあわせたチャンネル設定が可能な放送受信装置、受信方法、及び、プログラムを提供することを目的とする。
【課題を解決するための手段】
【０００６】
上記目的を達成するために、本発明の放送受信装置は、位置情報を取得し、該取得した位置情報に基づいて現在位置における放送エリアを特定し、該特定した放送エリアを第１の記憶部に記憶する制御部と、放送の受信レベルを測定し、受信レベルが所定のしきい値よりも小さいと判定すると、前記第１の記憶部に記憶された放送エリアに対応する周波数設定情報を、放送エリアと周波数設定とを対応付けて記憶する第２の記憶部から取得し、放送受信の際の周波数設定を記憶する第３の記憶部に格納する放送受信制御部とを有することを特徴とする。
【０００７】
本発明の携帯端末装置は、上記本発明の放送受信装置を備えることを特徴とする。
【０００８】
本発明の放送受信装置の制御方法は、周波数設定情報に従って放送受信を行う放送受信装置を制御する方法であって、前記放送受信装置が、位置情報を取得し、該取得した位置情報に基づいて現在位置における放送エリアを特定し、該特定した放送エリアを第１の記憶部に記憶するステップと、前記放送受信装置が、放送の受信レベルを測定し、受信レベルが所定のしきい値よりも小さいと判定すると、前記第１の記憶部に記憶された放送エリアに対応する周波数設定情報を、放送エリアと周波数設定とを対応付けて記憶する第２の記憶部から取得し、放送受信の際の周波数設定を記憶する第３の記憶部に格納するステップとを有することを特徴とする。
【０００９】
本発明のプログラムは、周波数設定情報に従って放送受信を行う放送受信装置に、周波数設定を行う処理を実行させるプログラムであって、前記放送受信装置に、位置情報を取得し、該取得した位置情報に基づいて現在位置における放送エリアを特定し、該特定した放送エリアを第１の記憶部に記憶する処理と、放送の受信レベルを測定し、受信レベルが所定のしきい値よりも小さいと判定すると、前記第１の記憶部に記憶された放送エリアに対応する周波数設定情報を、放送エリアと周波数設定とを対応付けて記憶する第２の記憶部から取得し、放送受信の際の周波数設定を記憶する第３の記憶部に格納する処理とを実行させることを特徴とする。
【発明の効果】
【００１０】
本発明の放送受信装置、受信方法、及び、プログラムは、受信状態劣化時に、迅速に、現在位置にあわせたチャンネル設定を行うことができる。
【発明を実施するための最良の形態】
【００１１】
以下、図面を参照し、本発明の実施の形態を詳細に説明する。図１は、本発明の第１実施形態の放送受信装置を含む携帯端末装置を示している。携帯端末装置は、無線部１１、キー操作部１２、表示部１３、制御部１４、記憶部Ａ（第１の記憶部）１５、判定回路１６、ＤＴＶ無線部２０、ＤＴＶ記憶部Ｂ（第２の記憶部）２１、ＤＴＶ記憶部Ｃ（第３の記憶部）２２、ＤＴＶ制御部２３、及び、ＧＰＳ部３０を有する。放送受信装置は、デジタルテレビ放送を受信する。無線部１１は、基地局との間で通信を行う。キー操作部１２は、キー入力部を有し、携帯電話やデジタルＴＶを操作する際に、ユーザによる操作を受け付ける。表示部１３は、キー操作部１２を用いて入力された情報や、デジタルＴＶの番組などを表示する。
【００１２】
ＤＴＶ無線部２０は、デジタルＴＶの電波を受信する。ＤＴＶ記憶部Ｂ２１は、放送エリア（都道府県）ごとに、放送チャンネル設定（周波数設定）の情報を記憶する。ＤＴＶ記憶部Ｃ２２は、携帯端末装置に設定する放送チャンネル設定を記憶する。ＤＴＶ制御部２３は、デジタルＴＶ放送の受信を制御する。
【００１３】
図２に、ＤＴＶ記憶部Ｂ２１の記憶内容を示す。ＤＴＶ記憶部Ｂ２１には、あらかじめ都道府県と放送チャンネルとの関係（放送局リスト）が記憶される。例えば、ＤＴＶ記憶部Ｂ２１には、放送エリア「北海道」について、１ｃｈが「＊＊放送」で、２ｃｈが「＋＋放送」であるといった情報（設定１）を記憶する。また、放送エリア「沖縄県」について、１ｃｈが「＊＊放送」で、２ｃｈが「ｘｘ放送」とった情報（設定４７）を記憶する。ＤＴＶ記憶部Ｃ２２には、現在位置に対応する放送エリアのチャンネル設定（設定１〜設定４７の何れか）が格納される。
【００１４】
ＧＰＳ部３０は、位置測位機能部であり、携帯端末装置の位置測位を行う。記憶部Ａ１５は、ＧＰＳ部３０によって計測された位置情報（都道府県）を記憶する。判定回路１６は、記憶部Ａ１５に記憶された都道府県と、ＤＴＶ記憶部Ｃ２２に記憶された放送チャンネル設定の都道府県とを比較し、両者が一致するか否かを判定する。制御部１４は、ＧＰＳ部３０と携帯電話機とを制御する。
【００１５】
図３に、動作手順を示す。ユーザは、キー操作部１２を操作して、デジタルＴＶをオンにする（ステップＳ１）。制御部１４は、デジタルＴＶがオンにされると、ＧＰＳ部３０を起動し、現在位置を測位する（ステップＳ２）。制御部１４は、測位された現在位置から、携帯端末装置が位置する都道府県を判別する（ステップＳ３）。制御部１４は、ステップＳ３では、都道府県ごとに、都道府県の範囲を定義する緯度経度情報を参照し、ステップＳ２で測位された位置（緯度経度）から、携帯端末装置が位置する都道府県を判断する。制御部１４は、ステップＳ３で判別した都道府県に対応するエリア情報Ｉｅを、記憶部Ａ１５に格納する。
【００１６】
ＤＴＶ無線部２０は、ステップＳ１のデジタルＴＶオンを受けて、デジタルＴＶの電波を受信する。ＤＴＶ制御部２３は、ＤＴＶ無線部２０が受信した電波のレベルＳｒが、復調可能なレベルであるか否かを判断する（ステップＳ４）。ＤＴＶ制御部２３は、受信電波のレベルＳｒが、復調可能なレベルに対応した所定のしきい値よりも低いときは、ＤＴＶ記憶部Ｃ２２にて設定されているチャンネル設定の都道府県と、記憶部Ａ１５に格納されたエリア情報Ｉｅとを比較する（ステップＳ５）。ＤＴＶ制御部２３は、両者が一致しないときは、ＤＴＶ記憶部Ｂ２１から、エリア情報Ｉｅで示される都道府県のチャンネル設定を取得し、これを、ＤＴＶ記憶部Ｃ２２に設定する（ステップＳ６）。
【００１７】
ＤＴＶ制御部２３は、ＤＴＶ記憶部Ｃ２２にて設定されているチャンネル設定の都道府県と、記憶部Ａ１５に格納されたエリア情報Ｉｅとが一致すると判断したときは、ＤＴＶ記憶部Ｃ２２のチャンネル設定を変更しない（ステップＳ７）。また、ＤＴＶ制御部２３は、ステップＳ５で、受信電波レベルＳｒが、復調可能なレベル以上であると判断したときは、ステップＳ５でエリア判定を行うことなくステップＳ７に移行し、ＤＴＶ記憶部Ｃ２２のチャンネル設定を変更しない。携帯端末装置は、ステップＳ２〜ステップＳ７の処理を繰り返し実行し、記憶部Ａ１５のエリア情報Ｉｅと、ＤＴＶ記憶部Ｃ２２のチャンネル設定の変更を行う。
【００１８】
図４に、放送エリアを示す。図４では、２つのデジタルＴＶ放送エリア（放送エリアＡ、放送エリアＢ）を示している。制御部１４は、ＧＰＳ衛星を用いて測位された携帯端末装置の現在位置が、放送エリアＡに対応した緯度経度範囲内のとき、記憶部Ａ１５に、放送エリアＡに対応したエリア情報Ｉｅを格納する。制御部１４は、現在位置が放送エリアＢに対応した緯度経度範囲内のときは、記憶部Ａ１５に、放送エリアＢに対応したエリア情報Ｉｅを格納する。
【００１９】
ユーザが、放送エリアＡから放送エリアＢに移動した場合を考える。はじめ、記憶部Ａ１５には放送エリアＡに対応するエリア情報が格納され、ＤＴＶ記憶部Ｃ２２には、放送エリアＡにおけるチャンネル設定情報が格納されている。ユーザが放送エリアＢに移動すると、制御部１４は、図３のステップＳ３で、記憶部Ａ１５に放送エリアＢに対応したエリア情報Ｉｅを格納する。このとき、ＤＴＶ制御部２３は、放送エリアＡ内のデジタルＴＶアンテナから送信される電波の受信レベルが、復調可能レベル以上であれば、ユーザが放送エリアＢに移動したとしても、ＤＴＶ記憶部Ｃ２２の変更を行わない。
【００２０】
ユーザが放送エリアＡから遠ざかり、放送エリアＡ内のデジタルＴＶアンテナから送信される電波のレベルが復調可能レベルを下回ると、ＤＴＶ制御部２３は、ステップＳ５で、ＤＴＶ記憶部Ｃ２２に設定された放送エリアと、記憶部Ａ１５に格納されたエリア情報Ｉｅとを比較する。比較の結果、両者は異なるので、ＤＴＶ制御部２３は、ステップＳ６で、エリア情報Ｉｅが示す放送エリアＢのチャンネル設定を、ＤＴＶ記憶部Ｃ２２に設定する。ユーザは、ＤＴＶ記憶部Ｃ２２のチャンネル設定が変更されることで、放送エリアＢ内のデジタルＴＶアンテナからの電波で、テレビ受信を継続できる。
【００２１】
本実施形態では、記憶部Ａ１５に、位置情報に基づくエリア情報Ｉｅを格納し、電波受信レベルがしきい値を下回ったときに、ＤＴＶ記憶部Ｃ２２に、記憶部Ａ１５に格納された放送エリアのチャンネル設定を設定する。このようにすることで、ユーザは、放送エリアをまたがって移動したときでも、移動前の放送エリアでのテレビ受信が可能なときは、引き続き、その放送エリアのテレビ受信を継続できる。また、受信レベルが低下したとは、現在の放送エリアのチャンネル設定を自動で行うので、受信状態が劣化したときでも、ユーザは複雑な操作を必要とせずに、移動後の放送エリアでテレビ受信を継続できる。
【００２２】
本実施形態では、受信レベル低下前に現在の放送エリアの判別を行い、判別したエリア情報Ｉｅをあらかじめ記憶部Ａ１５に格納しておく。ただし、現在の放送エリア判別時に、判別した放送エリアと現在ＤＴＶ記憶部Ｃ２２に設定された放送エリアとが一致しなくても、ＤＴＶ記憶部Ｃ２２のチャンネル設定の変更は行わない。受信レベル低下時に、あらかじめ判別しておいた放送エリアを、ＤＴＶ記憶部Ｃ２２に設定することで、受信レベル低下後に位置測位を行い、放送エリア判別を行う特許文献１に比して、設定変更を迅速に行うことができる。また、本実施形態では、インターネット上のサーバからチャンネル設定情報を取得する必要がないので、ネットワーク通信が必要ないという利点もある。
【００２３】
図５は、本発明の第２実施形態の放送受信装置を含む携帯端末装置を示している。携帯端末装置は、無線部１１、キー操作部１２、表示部１３、制御部１４、記憶部Ａ１５、判定回路１６、ラジオ無線部４０、ラジオ記憶部Ｂ４１、ラジオ記憶部Ｃ４２、ラジオ制御部４３、及び、ＧＰＳ部３０を有する。本実施形態の携帯端末装置は、受信する放送がラジオになる点を除いて、第１実施形態の携帯端末装置と同じである。
【００２４】
ラジオ無線部４０は、ラジオ放送の電波を受信する。ラジオ記憶部Ｂ４１は、放送エリア（都道府県）ごとに、ラジオの周波数設定の情報を記憶する。ラジオ記憶部Ｃ４２は、携帯端末装置に設定する周波数設定を記憶する。ラジオ制御部４３は、ラジオ放送受信の制御を行う。
【００２５】
図６に、動作手順を示す。本実施形態における動作手順は、放送がラジオ放送に置き換わる点を除いて、図３に示す第１実施形態における動作手順と同様である。すなわち、制御部１４は、ステップＳ１１でラジオをオンにし、ステップＳ１２で位置測位を行い、ステップＳ１３で記憶部Ａ１５にエリア情報Ｉｅを格納する。ラジオ制御部４３は、ステップＳ１４で、受信レベルとしきい値とを比較し、受信レベルがしきい値よりも小さいときは、ステップＳ１５で、ラジオ記憶部Ｃ４２に設定された放送エリアと記憶部Ａ１５のエリア情報Ｉｅとを比較する。
【００２６】
ラジオ制御部４３は、ステップＳ１５での比較の結果、一致しないときは、ステップＳ１６へ移行して、ラジオ記憶部Ｃ４２にエリア情報Ｉｅで示される放送エリアの周波数設定を行い、一致するときは、ステップＳ１７へ移行し、ラジオ記憶部Ｃ４２の変更は行わない。ラジオ制御部４３は、ステップＳ１４で、受信レベルがしきい値以上と判断したときも、ステップＳ１７へ移行して、周波数設定の変更は行わない。
【００２７】
ラジオも、デジタルＴＶと同様に、放送エリアごとに、受信可能周波数が決まっている。本実施形態では、ラジオ受信機能付きの携帯電話機にて、第１実施形態と同様な効果を得ることができる。
【００２８】
なお、上記では、ＧＰＳ機能により携帯端末装置の位置を測位したが、位置測位はこれには限定されず、他の位置測位手法を用いることもできる。また、放送受信装置が携帯電話機に搭載される例を説明したが、放送受信装置が搭載される機器は、携帯電話機には限定されない。
【００２９】
以上、本発明をその好適な実施形態に基づいて説明したが、本発明の放送受信装置、制御方法、及び、プログラムは、上記実施形態にのみ限定されるものではなく、上記実施形態の構成から種々の修正及び変更を施したものも、本発明の範囲に含まれる。
【図面の簡単な説明】
【００３０】
【図１】本発明の第１実施形態の放送受信装置（テレビ受信装置）を含む携帯端末装置を示すブロック図。
【図２】放送局リストを例示する図。
【図３】動作手順を示すフローチャート。
【図４】放送エリアを示す図。
【図５】本発明の第２実施形態の放送受信装置（ラジオ受信装置）を含む携帯端末装置を示すブロック図。
【図６】第２実施形態における動作手順を示すフローチャート。
【符号の説明】
【００３１】
１１：無線部
１２：キー操作部
１３：表示部
１４：制御部
１５：記憶部Ａ
１６：判定回路
２０：ＤＴＶ無線部
２１：ＤＴＶ記憶部Ｂ
２２：ＤＴＶ記憶部Ｃ
２３：ＤＴＶ制御部
３０：ＧＰＳ部
４０：ラジオ無線部
４１：ラジオ記憶部Ｂ
４２：ラジオ記憶部Ｃ
４３：ラジオ制御部
【図１】
2009213030.tif 000003
【図２】
2009213030.tif 000004
【図３】
2009213030.tif 000005
【図４】
2009213030.tif 000006
【図５】
2009213030.tif 000007
【図６】
2009213030.tif 000008